(57)【要約】【課題】浴槽等の全体的な小型化及び走行リフトの大型化を伴うことなく浴槽等への十分な接近を可能とすると共に、被介護者を持ち上げる際の前準備を至便に行えるようにした走行リフトを提供すること。【解決手段】平面視及び側面視において後方側が開放された略々コ字形状に構成された走行リフトにおいて、ベースフレームにキャスター及び車輪を設ける。また、巻取り機構が具備されたリフトユニットを前記ベースフレーム上方にて支柱ユニットに支持させる。そして、前記支柱ユニットをベースフレームとリフトユニットに対して回動可能とする。また、前記リフトユニットの巻取り機構の回転アームに隙間部を設け、該隙間部に帯状のシートの端部に設けた返し部から該シートを挿通させて回転アームに該シートを吊設させ、回転アームを回転させることで該回転アームにシートを巻取るようにする。【選択図】図１
2006314600.tif 000002
【特許請求の範囲】
【請求項１】
少なくともキャスターが具備された平面視において略々コ字形状に構成されたベースフレームと、巻取り機構が具備された平面視において略々コ字形状に構成されたリフトユニットと、該リフトユニットを前記ベースフレーム上方にて支持する支柱ユニットからなる平面視及び側面視において後方側が開放された略々コ字形状に構成された走行リフトにおいて、前記支柱ユニットをベースフレームとリフトユニットに対して回動可能とすると共に、前記リフトユニットの巻取り機構の回転アームに帯状のシートを吊設させ、前記回転アームを回転させることで該回転アームに前記シートを巻取るようにしたことを特徴とする走行リフト。
【請求項２】
前記回転アームに隙間部を設け、該隙間部に前記シートの端部を挿通させて、回転アームにシートを吊設させるようにしたことを特徴とする請求項１に記載の走行リフト。
【請求項３】
前記シートの端部に返し部を設けたことを特徴とする請求項２に記載の走行リフト。
【請求項４】
側面視において略々矩形状かつ平面視において後方側が開放された略々コ字形状に構成された手摺りユニットを傾けた状態で、手摺りユニット前部に設けた係止具に前記リフトユニットの回転アームを挿通させ、傾きを直すことで手摺りユニット後部に設けたピン材を前記回転アームの隙間部後部に設けた大孔部に挿通させて、当該手摺りユニットを係止可能としたことを特徴とする請求項２乃至３に記載の走行リフト。
【請求項５】
前記ベースフレームを少なくとも前フレームと後フレームからなる構成とし、後フレームを前フレームに対して回動可能とすると共に、後フレームを該後フレーム間隔が開く方向へ弾性体にて付勢させ、さらに、前記前フレームと後フレームにキャスターを配設させたことを特徴とする請求項１から４に記載の走行リフト。
【請求項６】
前記支柱ユニットに係止部材を設け、該係止部材に膝当て板を着脱可能としたことを特徴とする請求項１から５に記載の走行リフト。
【発明の詳細な説明】
【技術分野】
【０００１】
本発明は、介護者が被介護者を抱き上げることなく被介護者を移乗可能とすると共に、目的とする所へ被介護者を搬送可能とした走行リフトに関するものである。
【背景技術】
【０００２】
従来の走行リフトには、第１８図に示すように、椅子を構成するためのフレーム下部にキャスターを設け、前記フレーム上部後方に背凭れを設け、前記フレーム上部に平行にハンドルの回転操作にて回転可能とした巻き筒を設け、該巻き筒にベルトの一端を連結すると共にベルトの他端にバックルを介して座面を連結させ、ハンドルを回転操作することでベルトを巻き筒に巻取り、座面を上下移動可能としたものがある。また、この走行リフトは、ベルトに吊設された座面のフラツキを防止するために、座面前部が前記フレーム前部にてガイドされるようにされている（例えば、特許文献１参照。）。
【０００３】
この走行リフトは、例えば、浴槽内へ被介護者を入れる場合等に、前記フレームと浴槽が干渉して被介護者を浴槽内へ降ろすことができる状態となるまで十分に走行リフトを浴槽へ接近させることができない場合がある。この問題を解決するために、前記フレームの幅方向の間隔を十分に取ると、走行リフト自体が大型化するため、小回りが利かず、使い勝手が悪いものとなってしまう問題がある。また、走行リフトを大型化する代わりに、浴槽を小さくすることもできるが、浴槽を小さくすると被介護者がゆったりと入浴できなくなる問題がある。
また、座面をフラつかせることなく上下移動させるために、座面前部を前記フレームにガイドさせていることと、複数本のベルトで座面を支持していることで、座面を被介護者の臀部下部に敷き込み、座面を吊上げて被介護者を持ち上げる作業に際して、座面の着脱作業が煩雑なものとなっている。
【特許文献１】実開平６−２９５２３号公報
【発明の開示】
【発明が解決しようとする課題】
【０００４】
そこで、本発明は上記事情に鑑み、浴槽等の全体的な小型化及び走行リフトの大型化を伴うことなく浴槽等への十分な接近を可能とすると共に、被介護者を持ち上げる際の前準備を至便に行えるようにした走行リフトを提供することを課題としている。
【課題を解決するための手段】
【０００５】
請求項１の発明は、少なくともキャスターが具備された平面視において略々コ字形状に構成されたベースフレームと、巻取り機構が具備された平面視において略々コ字形状に構成されたリフトユニットと、該リフトユニットを前記ベースフレーム上方にて支持する支柱ユニットからなる平面視及び側面視において後方側が開放された略々コ字形状に構成された走行リフトにおいて、前記支柱ユニットをベースフレームとリフトユニットに対して回動可能とすると共に、前記リフトユニットの巻取り機構の回転アームに帯状のシートを吊設させ、前記回転アームを回転させることで該回転アームに前記シートを巻取るようにしたことを特徴とする。
請求項２の発明は、前記回転アームに隙間部を設け、該隙間部に前記シートの端部を挿通させて、回転アームにシートを吊設させるようにしたことを特徴とする。
請求項３の発明は、前記シートの端部に返し部を設けたことを特徴とする。
請求項４の発明は、側面視において略々矩形状かつ平面視において後方側が開放された略々コ字形状に構成された手摺りユニットを傾けた状態で、手摺りユニット前部に設けた係止具に前記リフトユニットの回転アームを挿通させ、傾きを直すことで手摺りユニット後部に設けたピン材を前記回転アームの隙間部後部に設けた大孔部に挿通させて、当該手摺りユニットを係止可能としたことを特徴とする。
請求項５の発明は、前記ベースフレームを少なくとも前フレームと後フレームからなる構成とし、後フレームを前フレームに対して回動可能とすると共に、後フレームを該後フレーム間隔が開く方向へ弾性体にて付勢させ、さらに、前記前フレームと後フレームにキャスターを配設させたことを特徴とする。
請求項６の発明は、前記支柱ユニットに係止部材を設け、該係止部材に膝当て板を着脱可能としたことを特徴とする。
【発明の効果】
【０００６】
請求項１の発明によれば、支柱ユニットをベースフレームとリフトユニットに対して回動可能とした。これによると、この走行リフトは、支柱ユニットの間隔を任意に変化させることができる。したがって、支柱ユニットの間隔を広げることで、走行リフトと浴槽等が干渉することなく、走行リフトの浴槽等への十分な接近を可能とすることができる。また、移動時には、支柱ユニットの間隔を狭めておくことができ、ベースフレームが通過可能なところであれば、走行リフトを走行可能とできる。すなわち、浴槽等の全体的な小型化及び走行リフト自体の大型化を伴うことなく、浴槽等への十分な接近を行える、取り回しのしやすい走行リフトとすることができる。
また、リフトユニットの巻取り機構の回転アームに帯状のシートを吊設させ、前記回転アームを回転させることで、該回転アームに前記シートを巻取るようにした。これによると、シートを回転アームに巻取ることで、シートに座っている被介護者を持ち上げることができる。したがって、被介護者の臀部下部にシートを敷き込む作業において、シート端部がリフトユニットの回転アームに吊設できるように敷き込めば良く、敷き込むシートの位置が必ずしもシートの中間部である必要はないことから、介護者に手間がかからないようにできる。
【０００７】
請求項２の発明によれば、回転アームに隙間部を設け、該隙間部にシートの端部を挿通させて、回転アームにシートを吊設するようにした。これによると、シートの巻取り開始時に回転アームの外側と内側にそれぞれ位置していたシート部分が回転アームを一回転させる内に重なり合い、シートの回転アームに対する滑りが殺され、しっかりとシートが回転アームに係止されるようになる。したがって、シートを回転アームに吊設させる際に、シートの回転アームに対する特別な係止作業が不必要となり、介護者に手間がかからないようにできる。
【０００８】
請求項３の発明によれば、シートの端部に返し部を設けた。これによると、被介護者を持ち上げている状態から降ろす際に、シートの重なり合いが解けたとしても、返し部が回転アームの隙間部に引掛ることで、被介護者がシートから転落することを防止することができる。
【０００９】
請求項４の発明によれば、側面視において略々矩形状かつ平面視において後方側が開放された略々コ字形状に構成された手摺りユニットを傾けた状態で、手摺りユニット前部に設けた係止具に前記リフトユニットの回転アームを挿通させる。そして、手摺りユニットの傾きを直すことで手摺りユニット後部に設けたピン材を前記回転アームの隙間部後部に設けた大孔部に挿通させて、当該手摺りユニットを走行リフトに係止可能とした。これによると、この手摺りユニットは工具等を用いることなく簡単かつ確実に走行リフトへ取付けることができる。また、この手摺りユニットを走行リフトに取付けることで、被介護者が手摺りユニットの把持しやすいところを把持でき、被介護者が立上り動作を行いやすくなる。また、走行リフトを歩行器として使用するに当たり、手摺りユニットにて被介護者の前方及び両側方を囲うことができ、被介護者が安心して歩行できるようになる。すなわち、手摺りユニットを用いなくとも走行リフトを歩行器として用いることは可能ではあるが、走行リフトに当該手摺りユニットを着脱可能としたことで、当該走行リフトをより使い勝手の良い歩行器としても使用可能とできる。
【００１０】
請求項５の発明によれば、ベースフレームを少なくとも前フレームと後フレームからなる構成とし、後フレームを前フレームに対して回動可能とすると共に、後フレームを該後フレーム間隔が開く方向へ弾性体にて付勢させ、さらに、前記前フレームと後フレームにキャスターを配設した。これによると、通常では、後フレームの間隔が開く方向に該後フレームは回動されており、走行リフトがより安定する状態となって走行できる。また、後フレームが壁面等に接触すると、該後フレームが弾性体の付勢力に抗して後フレームの間隔が狭くなる方向へ回動され、少なくとも前フレームが通過できるだけの幅のあるところであれば、走行リフトを走行させることができるようになる。すなわち、このベースフレームを用いることによって、小回りの利くより使い勝手の良い走行リフトとすることができる。
【００１１】
請求項６の発明によれば、前記支柱ユニットに係止部材を設け、該係止部材に膝当て板を着脱可能とした。これによると、膝当て板に被介護者の膝を接当させた状態でリフトユニットの巻取り機構にて被介護者を持ち上げると、被介護者の臀部が持ち上げられることにしたがって、被介護者の膝が膝当て板に接当されていることから、被介護者の脚が伸びるようになり、被介護者は立上ることができる。すなわち、この走行リフトは、膝当て板を着脱可能としたことで、当該走行リフトを立上り介助機としても用いることができる。
【発明を実施するための最良の形態】
【００１２】
平面視及び側面視において後方側が開放された略々コ字形状に構成された走行リフトにおいて、ベースフレームに少なくともキャスターを設ける。また、巻取り機構が具備されたリフトユニットを前記ベースフレーム上方にて支柱ユニットに支持させると共に、該支柱ユニットをベースフレームとリフトユニットに対して回動可能とする。また、前記リフトユニットの巻取り機構の回転アームに隙間部を設け、該隙間部に帯状のシートの端部に設けた返し部から該シートを挿通させて回転アームに該シートを吊設させ、回転アームを回転させることで該回転アームにシートを巻取るようにする。
【００１３】
これによると、この走行リフトは、支柱ユニットをベースフレームとリフトユニットに対して回動可能としたことで、支柱ユニットの間隔を任意に変化させることができる。したがって、支柱ユニットの間隔を広げることで、支柱ユニットと浴槽等が干渉することなく、走行リフトの浴槽等への十分な接近を可能とすることができる。また、移動時には、支柱ユニットの間隔を狭めておくことができ、ベースフレームが通過可能なところであれば、走行リフトを走行可能とできる。すなわち、浴槽等の全体的な小型化及び走行リフト自体の大型化を伴うことなく、浴槽等への十分な接近を行える、取り回しのしやすい走行リフトとすることができる。
また、この走行リフトは、前記リフトユニットの巻取り機構の回転アームに隙間部を設け、該隙間部にシートの端部を挿通させて回転アームにシートを吊設させ、回転アームを回転させることで該回転アームにシートを巻取るようにした。これによって、被介護者を持ち上げるための前作業において、シート端部が回転アームの隙間部に挿通できるように該シートを被介護者の臀部下部に敷き込めば良く、敷き込むシートの位置が必ずしもシートの中間部である必要はないことから、介護者に手間がかからないようにできる。また、回転アームの隙間部にシートを挿通させた状態で回転アームを回転させると、シートの巻取り開始時に回転アームの外側と内側にそれぞれ位置していたシート部分が回転アームを一回転させる内に重なり合い、シートの回転アームに対する滑りが殺され、しっかりとシートが回転アームに係止されるようになる。したがって、シートを回転アームに吊設させる際に、シートの回転アームに対する特別な係止作業が不必要となり、介護者に手間がかからないようにできる。
さらに、前記シートの端部に返し部を設けたことで、被介護者を持ち上げている状態から降ろす際に、シートの重なり合いが解けたとしても、返し部が回転アームの隙間部に引掛ることで、被介護者がシートから転落することを防止することができる。
【実施例１】
【００１４】
本発明にかかる走行リフトの一実施形態を図面に基づいて説明する。第１図は走行リフトを示す斜視図である。第２図は支柱ユニットが回動する様子を示す斜視図である。第３図は走行リフトの構成を示す斜視図である。第４図は巻取り機構を示す説明図である。第５図はシートを回転アームにて巻取る様子を示す説明図である。第６図は走行リフトと組合せて用いる浴槽を示す説明図である。第７図は被介護者を走行リフトへ移乗させる様子を示す説明図である。第８図は被介護者を浴槽へ移動させる様子を示す説明図である。第９図はシートの回転アームに対する別の係止方法を示す説明図である。第１０図は走行リフトと組合せて用いる別の浴槽を示す説明図である。第１１図は歩行器として用いる状態を示す斜視図である。第１２図は手摺りユニットを示す斜視図である。第１３図は手摺りユニットを係止させる様子を示す説明図である。第１４図は歩行器として用いる様子を示す説明図である。
【００１５】
この走行リフト１は、地面又は床面を走行するためのベースフレーム２と、巻取り機構３が具備されたリフトユニット４と、前記ベースフレーム２とリフトユニット４の間に配設され、ベースフレーム２及びリフトユニット４に対して回動可能な支柱ユニット５，５から主に構成されている。
【００１６】
まず、ベースフレーム２について説明する。
このベースフレーム２は、第３図に示すように、平面視において後方側が開放された略々コ字形状かつ側面視において略々Ｌ字形状に曲折された前フレーム２ａの後下部に、ベースフレーム２の後方側が広くなるように平面視において略々く字形状に曲折された後フレーム２ｂ，２ｂが固着されている。また、前フレーム２ａの略々中間側部には軸受部材２ｃ，２ｃが固着され、該軸受部材２ｃ，２ｃにキャスター２ｄ，２ｄが取付けられている。さらに、前フレーム２ａの後部には、後述する支柱ユニット５，５が軸承される軸材２ｅ，２ｅが床面に対して垂直な軸心を有するようにプレート２ｆ，２ｆを介して固着され、前フレーム２ａの前部上面には図中二点鎖線で示すように足置き２ｇが配設されている。また、前記後フレーム２ｂ，２ｂ後端部には平面視において略々コ字形状に曲折された車輪受け２ｈ，２ｈが固着され、該車輪受け２ｈ，２ｈに車輪２ｉ，２ｉが取付けられている。
このようにベースフレーム２は平面視において後方側が開放された略々コ字形状に構成されている。
【００１７】
次に、リフトユニット４について説明する。
このリフトユニット４は、シェルフレーム６と巻取り機構３から構成されている。
まず、シェルフレーム６は、第３図に示すように、上部外側面に空孔部７ａ，７ａが穿たれたパイプ７，７の下端部に後述する支柱ユニット５，５が軸承される軸材７ｂ，７ｂが床面に対して垂直な軸心を有するように固着され、前記パイプ７，７の下部後面には軸受パイプ７ｃ，７ｃが固着され、前記パイプ７，７の上部内側面間に連結パイプ８が固着されている。また、前記パイプ７，７の上端部にはキャップ９，９が配設され、前記連結パイプ８の上部にはクッション材１０が配設されている。
次に、巻取り機構３は、その一部が前記シェルフレーム６の内部に構成されており、第４図に示すように、前記連結パイプ８の両端部に配設された軸受部材１１，１１にシャフト１２の両端部が軸承され、該シャフト１２の両端にウォームギヤ１３，１３が固定されている。また、前記ウォームギヤ１３，１３の下部には該ウォームギヤ１３，１３に噛合わされるようウォームホイール１４，１４が配設され、該ウォームホイール１４，１４に中間部が前記軸受パイプ７ｃ，７ｃに軸承された回転軸１５，１５前端が固定され、該回転軸１５，１５後部には側面視において板材を略々Ｕ字形状に曲折した回転アーム１６，１６の開放端側が固着されている。なお、前記回転アーム１６，１６は断面形状が略々円形となるようにされており、該回転アーム１６，１６に被介護者が接触しても違和感や痛みをさほど与えないようにしている。また、前記回転アーム１６，１６以外の巻取り機構３の構成部材を極力前記シェルフレーム６内部に構成することで、被介護者が巻取り機構３の可動部に極力触れることがないようにして、安全を確保している。
このようにリフトユニット４は、第３図に示すように、平面視において後方側が開放された略々コ字形状に構成されると共に、第４図の（ａ）図に示すように、一方の前記パイプ７の空孔部７ａからクランクハンドル１７を前記ウォームギヤ１３，１３の回転中心軸上に設けられた空孔部１３ａ，１３ａの一つに差込み、第４図の（ｂ）図に示すように、クランクハンドル１７を回転させることで、ウォームギヤ１３，１３とシャフト１２が回転され、ウォームギヤ１３，１３とウォームホイール１４，１４との噛合わせにより、左右二つの回転アーム１６，１６が同期的に前後方向の軸を中心に回転するようにされている。なお、このとき、二つの回転アーム１６，１６の回転方向は異なる方向、すなわち、第３図中手前側の回転アーム１６が反時計回りに回転したときには、奥側の回転アーム１６は時計回りに回転するように構成されている。
【００１８】
続いて、第５図を用いてリフトユニット４の回転アーム１６，１６に吊設される被介護者等を持ち上げるために使用するシート１８の回転アーム１６，１６への吊設方法及び該シート１８が回転アーム１６，１６へ巻取られる仕組みについて説明する。
まず、（ａ）図に示すように、シート１８の端部には回転アーム１６，１６の前後方向の隙間部１６ａ，１６ａからの意図しないシート１８の脱落を防止するための返し部１８ａ，１８ａが設けられており、該返し部１８ａ，１８ａからシート１８を回転アーム１６，１６の隙間部１６ａ，１６ａへ挿通させて、（ｂ）図に示すように、シート１８の端部を回転アーム１６，１６に吊設させる。次に、クランクハンドル１７を回転操作して回転アーム１６，１６を回転させると、回転アーム１６，１６が一回転するまでに（ｂ）図において回転アーム１６，１６の内側に位置していたシート１８部分と外側に位置していたシート１８部分が（ｃ）図に示すように重なり合い、シート１８の回転アーム１６，１６に対する滑りが殺された状態となる。そして、クランクハンドル１７の回転操作をさらに続けると（ｄ）図に示すようにシート１８は回転アーム１６，１６に巻取られ、二つの回転アーム１６，１６間に位置するシート１８の最下部が上昇するようになり、回転アーム１６，１６間のシート１８に被介護者が搭乗しておれば被介護者は持ち上げられる。
また、（ｄ）図に示す状態から、シート１８巻取り時と逆方向にクランクハンドル１７を回転操作すると、回転アーム１６，１６に巻取っていたシート１８は繰り出され、回転アーム１６，１６間のシート１８に被介護者が搭乗しておれば被介護者は下方へ移動される。また、回転アーム１６，１６に巻取っていたシート１８を繰り出している最中に（ｂ）図に示す状態となっても、シート１８の端部に設けた返し部１８ａ，１８ａが回転アーム１６，１６に引掛ることで、シート１８が回転アーム１６，１６から脱落することはなく、被介護者が転落しないようにされている。また、シート１８を回転アーム１６，１６から取外す際には、返し部１８ａ，１８ａを手でシート１８と重なり合うように弾性変形させた状態で隙間部１６ａ，１６ａから引き抜くようにすれば、シート１８を回転アーム１６，１６から取外すことができる。
なお、前記シート１８とは、繊維または化学繊維からなる帯状の布のことを言う。
【００１９】
次に、前記ベースフレーム２とリフトユニット４の間に回動可能に配設される支柱ユニット５，５について説明する。
この支柱ユニット５，５は、第３図に示すように、側面視において後方側が開放された略々コ字形状に曲折された支柱パイプ５ａ，５ａの上下端部にそれぞれ軸受部材５ｂ，５ｂ，・・・が床面に対して垂直な軸心かつ上下二つの軸受部材５ｂ，５ｂの軸心が一致するように固着されている。また、前記支柱パイプ５ａ，５ａの上部にはグリップ１９ａ，１９ａが左右方向内側に位置するようにレバー１９，１９が固着されている。
このように構成された支柱ユニット５，５は、下部側の軸受部材５ｂ，５ｂに前記ベースフレーム２の軸材２ｅ，２ｅを軸承させ、上部側の軸受部材５ｂ，５ｂに前記リフトユニット４の軸材７ｂ，７ｂを軸承させることで、ベースフレーム２上方にてリフトユニット４を支持すると共に、第２図に示すように、ベースフレーム２とリフトユニット４に対して回動可能に配設される。このように、支柱ユニット５，５を回動可能としたことで、二つの支柱パイプ５ａ，５ａ間隔を広げることができ、第６図に示すように、支柱ユニット５，５と浴槽２０が干渉することなく走行リフト１を浴槽２０へ接近させることができる。すなわち、浴槽２０の小型化及び走行リフト１の大型化を伴うことなく、被介護者を浴槽２０内に降ろすことができる状態（第８図の（ｂ）図参照。）となるまで十分に走行リフト１を浴槽２０へ接近させることができる。
【００２０】
続いて、このように構成された走行リフト１の一使用例を第７図及び第８図を用いて説明する。
まず、第７図の（ａ）図に示すように、被介護者に腰掛け姿勢をとらせると共に、被介護者の臀部下部にシート１８を敷き込み、リフトユニット４の回転アーム１６，１６間に被介護者が位置するよう走行リフト１を接近させる。このときに、被介護者の臀部下部に敷き込むシート１８の位置は必ずしもシート１８の中間部である必要はなく、シート１８端部が回転アーム１６，１６の隙間部１６ａ，１６ａに挿通できれば良い。
次に、第７図の（ｂ）図に示すように、シート１８端部を回転アーム１６，１６の隙間部１６ａ，１６ａに挿通させて、シート１８を回転アーム１６，１６に吊設させる。
そして、第７図の（ｃ）図に示すように、クランクハンドル１７を回転操作して、シート１８を回転アーム１６，１６に巻取り、被介護者を持ち上げ、そして、所望するところへ移動させる。なお、クランクハンドル１７の回転操作を行うに当たり、回転アーム１６，１６に吊設したシート１８の回転アーム１６，１６間の弛みを無くすようにシート１８を吊設しておくと、いわゆる空回しを少なくすることができ、クランクハンドル１７の回転操作初期から被介護者の持ち上げを行うことができることから、介護者の無駄な労力を抑えることができる。
続いて、移動先にて被介護者を入浴させるには、第８図の（ａ）図に示すように、支柱ユニット５，５のレバー１９，１９を前方へ回動させて支柱パイプ５ａ，５ａ間隔を広くし、走行リフト１を後方から浴槽２０へ接近させ、第８図の（ｂ）図に示すように、被介護者を浴槽２０上方へ位置させる。
そして、クランクハンドル１７を被介護者の持ち上げ時とは逆方向へ回転操作して、シート１８を回転アーム１６，１６から繰り出し、第８図の（ｃ）図に示すように、被介護者を浴槽２０へと降ろし、入浴させる。
【００２１】
上述してきたように、この走行リフト１は、まず、支柱ユニット５，５をベースフレーム２及びリフトユニット４に対して回動可能としたことで、支柱ユニット５，５の支柱パイプ５ａ，５ａ間隔を任意に変化させることができる。これによると、支柱パイプ５ａ，５ａ間隔を広げることで、被介護者を浴槽２０内に降ろすことができる状態となるまで、走行リフト１を浴槽２０へ十分に接近可能とすることができる。また、移動時には、支柱パイプ５ａ，５ａ間隔を狭めておくことができ、ベースフレーム２が通過可能なところであれば、走行リフト１を走行可能とできる。すなわち、浴槽等の全体的な小型化及び走行リフト自体の大型化を伴うことなく、浴槽等への十分な接近を行える、取り回しのしやすい走行リフト１とすることができる。
また、この走行リフト１は、被介護者を持ち上げるための前作業において、被介護者の臀部下部にシート１８を敷き込む際、シート１８の端部をリフトユニット４の回転アーム１６，１６に吊設できるように該シート１８を敷き込めば良く、敷き込むシート１８の位置が必ずしもシート１８の中間部である必要はないことから、介護者に手間がかからないようにできる。さらに、シート１８端部を回転アーム１６，１６の隙間部１６ａ，１６ａに挿通させて、該シート１８を回転アーム１６，１６に吊設させるようにしたことから、該シート１８の巻取り開始時に回転アーム１６，１６の外側と内側にそれぞれ位置していたシート１８部分が回転アーム１６，１６を一回転させる内に重なり合うことで当該シート１８の回転アーム１６，１６に対する滑りが殺され、しっかりとシート１８が回転アーム１６，１６に係止されるようになる。したがって、シート１８を回転アーム１６，１６に吊設させる際に、シート１８の回転アーム１６，１６に対する特別な係止作業が不必要となり、介護者に手間がかからないようにできる。
【００２２】
なお、本実施例においては、上記リフトユニット４の回転アーム１６，１６を側面視において略々Ｕ字形状に曲折し、隙間部１６ａ，１６ａを形成させると共に断面形状が略々円形となるようにして、回転アーム１６，１６に被介護者が接触しても違和感や痛みをさほど与えないようにすると共に前記隙間部１６ａ，１６ａにシート１８を着脱可能としている。しかしながら、第９図の（ａ）図に示すように、回転アーム１６，１６を丸棒状の回転アーム２１，２１とし、その中途部にフック部材２１ａ，２１ａ，・・・を設け、該フック部材２１ａ，２１ａ，・・・にシート２２の端部に設けた空孔部２２ａ，２２ａ，・・・を引掛けるようにしても良い。このとき、シート２２の端部に複数の空孔部２２ａ，２２ａ，・・・を設けておくと、上述したように、回転アーム２１，２１に吊設したシート２２の回転アーム２１，２１間の弛みを無くすようにシート２２を吊設することができ、いわゆる空回しを少なくすることができることから、クランクハンドル１７の回転操作において介護者の無駄な労力を抑えることができる。また、第９図の（ｂ）図に示すように、回転アーム２３，２３を上記リフトユニット４の回転アーム１６，１６の後方端側を開放したものとし、シート２４の端部に設けた筒部２４ａ，２４ａを回転アーム２３，２３の一方の片材２３ａ，２３ａに差し込むことで、回転アーム２３，２３にシート２４を係止させるようにしても良い。このとき、シート２４の端部に複数の筒部２４ａ，２４ａ，・・・を設けておくと、上述と同様の作用と効果を得ることができる。
また、本実施例においては、走行リフト１を浴槽下部に脚２０ａ，２０ａ，・・・が設けられているタイプの浴槽２０に用いることを例示しているが、第１０図に示すように、床面に直置きするタイプの浴槽であっても、浴槽の一端側下部のみを幾らか狭くすることによって、被介護者を浴槽内に降ろすことができる状態となるまで、走行リフト１を浴槽２５へ十分に接近させることができるようになる。すなわち、この走行リフト１は、直置きタイプの浴槽であっても全体的な小型化は必要なく、一部分のみを狭くするだけ使用可能とできる。したがって、この走行リフト１によると、浴槽の小型化を最小限に抑えることができることから、浴槽２５の狭めた部分に被介護者の足が位置するように被介護者を入浴させることで、臀部が位置する部分は従来通り十分な広さを確保することができ、被介護者に窮屈感をほとんど感じさせないようにできる。
【００２３】
次に、上述してきた走行リフト１を第１１図に示すように歩行器として使用するために用いる手摺りユニット２６について説明する。
この手摺りユニット２６は、第１２図に示すように、側面視において略々矩形状かつ平面視において後方側が開放された略々コ字形状に曲折された手摺りフレーム２６ａの上部両側部にクッション材２６ｂ，２６ｂが固定されている。また、側面視において手摺りフレーム２６ａの前側中間部には略々半円形状に曲折された係止具２６ｃ，２６ｃが手摺りフレーム２６ａ内側にて空孔２６ｄ，２６ｄを形成するように固着されると共に、手摺りフレーム２６ａの後側中間部内側に略々Ｌ字形状に曲折されたピン材２６ｅ，２６ｅの一端が固着されている。
このように構成された手摺りユニット２６は、第１３図の（ａ）図に示すように、手摺りユニット２６の後部が前部よりも上方に位置する状態で傾け、前記係止具２６ｃ，２６ｃが形成する空孔２６ｄ，２６ｄにリフトユニット４の回転アーム１６，１６を挿通させる。そして、その状態で係止具２６ｃ，２６ｃがリフトユニット４の軸受パイプ７ｃ，７ｃにかかる程度まで十分に手摺りユニット２６を押し込むと共に、第１３図の（ｂ）図に示すように、手摺りユニット２６の傾けた状態を直し、前記ピン材２６ｅ，２６ｅを回転アーム１６，１６の隙間部１６ａ，１６ａ後部に設けた大孔部１６ｂ，１６ｂに挿通させることで走行リフト１に係止される。この状態においては、係止具２６ｃ，２６ｃが軸受パイプ７ｃ，７ｃを挟持すると共に、ピン材２６ｅ，２６ｅが回転アーム１６，１６の大孔部１６ｂ，１６ｂに差し込まれていることで、手摺りユニット２６は走行リフト１にしっかりと固定されることとなる。したがって、当該手摺りユニット２６は、工具等を用いることなく、簡単かつ確実に取付けが行えるようにされている。
【００２４】
上述のように手摺りユニット２６を用いて走行リフト１を歩行器として使用する場合には、第１４図の（ａ）図に示すように、腰掛け姿勢を取った被介護者が手摺りユニット２６の把持しやすいところを把持でき、被介護者が立上り動作を行いやすくできる。また、第１４図の（ｂ）図に示すように、被介護者が歩行するに当たり、手摺りユニット２６にて被介護者の前方及び両側方を囲うことができ、被介護者が安心して歩行できるようになる。すなわち、手摺りユニット２６を用いなくとも走行リフト１を歩行器として用いることは可能であるが、走行リフト１に当該手摺りユニット２６を着脱可能としたことで、当該走行リフト１をより使い勝手の良い歩行器としても使用可能とできる。
【実施例２】
【００２５】
続いて、実施例２として別の形態の走行リフトを図面に基づいて説明する。第１５図はベースフレームを示す説明図である。なお、実施例１の走行リフト１と共通する構成部材については同一符号を付記する。
【００２６】
この走行リフトは、実施例１の走行リフト１と略々同様の構成であり、異なる点は、ベースフレーム２７の構成のみである。以下、ベースフレーム２７について説明する。
【００２７】
このベースフレーム２７は、第１５図に示すように、平面視において後方側が開放された略々コ字形状かつ側面視において略々Ｌ字形状に曲折された前フレーム２ａの後下部に背面視において略々コ字形状に曲折されたコ型フレーム２７ａ，２７ａの開口側がベースフレーム２７幅方向外側を向くように該コ型フレーム２７ａ，２７ａ前端が固着されている。さらに、前記前フレーム２ａの略々中間側部には軸受部材２ｃ，２ｃが固着されると共に、該軸受部材２ｃ，２ｃにキャスター２ｄ，２ｄが取付けられている。また、該コ型フレーム２７ａ，２７ａの中間部には上記支柱ユニット５，５の下部側の軸受部材５ｂ，５ｂに軸承される軸材２ｅ，２ｅが床面に対して垂直な軸心を有するように固着されている。さらに、前記コ型フレーム２７ａ，２７ａの後部には、平面視において略々く字形状に曲折された後フレーム２７ｂ，２７ｂ前端に固着されたボス部材２７ｃ，２７ｃが軸材２７ｄ，２７ｄを介して軸承されている。なお、前記ボス部材２７ｃ，２７ｃ及び軸材２７ｄ，２７ｄは床面に対して垂直な軸心を有するように構成されている。すなわち、後フレーム２７ｂ，２７ｂは軸材２７ｄ，２７ｄを中心に前フレーム２ａに対してベースフレーム２７の幅方向へ回動可能とされている。また、後フレーム２７ｂ，２７ｂの後端には取付けプレート２７ｅ，２７ｅが固着され、該取付けプレート２７ｅ，２７ｅに設けられた軸受部材２７ｆ，２７ｆにキャスター２７ｇ，２７ｇが取付けられている。さらに、前記後フレーム２７ｂ，２７ｂのボス部材２７ｃ，２７ｃには前記コ型フレーム２７ａ，２７ａに当接することで後フレーム２７ｂ，２７ｂがベースフレーム２７外方向へ所定以上に回動しないようにするための接触具２７ｈ，２７ｈが設けられると共に、ボス部材２７ｃ，２７ｃに後フレーム２７ｂ，２７ｂがベースフレーム２７幅方向外側へ付勢されるように、バネ等の弾性体２７ｉ，２７ｉが設けられている。
【００２８】
このように構成されたベースフレーム２７によると、通常では、前記後フレーム２７ｂ，２７ｂの間隔が開く方向に該後フレーム２７ｂ，２７ｂは回動されており、走行リフトがより安定する状態となって走行できる。また、後フレーム２７ｂ，２７ｂが壁面等に接触すると、該後フレーム２７ｂ，２７ｂが弾性体２７ｉ，２７ｉの付勢力に抗して該後フレーム２７ｂ，２７ｂの間隔が狭くなる方向へ回動され、少なくとも前記前フレーム２ａが通過できるだけの幅のあるところであれば、走行リフトを走行させることができるようになる。したがって、このベースフレーム２７を用いることによって、小回りの利くより使い勝手の良い走行リフトとすることができる。
【実施例３】
【００２９】
続いて、実施例３として別の形態の走行リフトを図面に基づいて説明する。第１６図は立上り介助機として用いる状態を示す斜視図である。第１７図は立上り介助機として用いる様子を示す説明図である。なお、実施例１の走行リフト１と共通する構成部材については同一符号を付記する。
【００３０】
この走行リフト２８は実施例１の走行リフト１と略々同様の構成であり、異なる点は、支柱ユニット２９，２９の構成のみである。以下、支柱ユニット２９，２９について説明する。
【００３１】
この支柱ユニット２９，２９は、上記支柱ユニット５，５と略々同様の構成とされており、上記支柱ユニット５，５の支柱パイプ５ａ，５ａに側面視において後方側が開放された略々コ字形状に曲折された係止部材２９ａ，２９ａが固着された構成とされている。
このように構成された支柱ユニット２９，２９は、上記支柱ユニット５，５と同様に上記ベースフレーム２の軸材２ｅ，２ｅと上記リフトユニット４の軸材７ｂ，７ｂが支柱ユニット２９，２９の軸受部材５ｂ，５ｂ，・・・にそれぞれ軸承され、ベースフレーム２及びリフトユニット４に対して回動可能に配設される。そして、第１６図に示すように、前記係止部材２９ａ，２９ａに膝当て板３０を挿通させて該膝当て板３０を係止させることで、走行リフト２８を立上り介助機として用いることができるようにされている。
【００３２】
次に、このように構成された走行リフト２８を立上り介助機として用いる様子を、第１７図を用いて説明する。
まず、（ａ）図に示すように、被介護者に腰掛け姿勢をとらせると共に、被介護者の臀部下部にシート１８を敷き込み、リフトユニット４の回転アーム１６，１６間に被介護者が位置するよう走行リフト２８を接近させ、回転アーム１６，１６にシート１８の端部を吊設させる。また、このとき、被介護者の膝を前記膝当て板３０に接当させておく。
次に、（ｂ）図に示すように、リフトユニット４のクランクハンドル１７を回転操作して、回転アーム１６，１６にシート１８を巻取らせる。すると、被介護者の臀部が持ち上げられることにしたがって、前記膝当て板３０に被介護者の膝が接当されていることで、被介護者が立上るように脚が伸びるようになる。
そして、（ｃ）図に示すように、回転アーム１６，１６にシート１８をさらに巻取らせると、被介護者の臀部がさらに持ち上げられ、脚が略々伸びた状態で被介護者は立上った状態となる。
【００３３】
このように、この走行リフト２８は、前記膝当て板３０を着脱可能としたことで、走行リフト２８を立上り介助機として用いることができる。また、膝当て板３０を取外しておけば、上述の走行リフト１と同様の作用と効果を得ることができるように使用できる。
なお、走行リフト２８を立上り介助機として用いるに当たり、図示してはいないが、前記膝当て板３０にクッション材を設けておくと、膝を膝当て板３０に接当させることで生じる違和感や痛みを被介護者にほとんど与えないようにできる。
【図面の簡単な説明】
【００３４】
【図１】走行リフトを示す斜視図。（実施例１）
【図２】支柱ユニットが回動する様子を示す斜視図。（実施例１）
【図３】走行リフトの構成を示す斜視図。（実施例１）
【図４】巻取り機構を示す説明図。（実施例１）                               （ａ）巻取り機構を示す部分断面正面図。                                     （ｂ）巻取り機構を示す部分断面側面図。
【図５】シートを回転アームにて巻取る様子を示す説明図。（実施例１）         （ａ）シート端部を回転アームの隙間部に挿通した様子を示す部分背面図。       （ｂ）シート端部を回転アームに吊設した様子を示す部分背面図。               （ｃ）シートの回転アームに対する滑りが殺された状態を示す部分背面図。       （ｄ）シート端部を回転アームに巻き取る様子を示す部分背面図。
【図６】走行リフトと組合せて用いる浴槽を示す説明図。（実施例１）           （ａ）浴槽を示す正面図。                                                   （ｂ）浴槽を示す側面図。
【図７】被介護者を走行リフトへ移乗させる様子を示す説明図。（実施例１）     （ａ）被介護者を持ち上げるための前準備をした状態を示す側面図。             （ｂ）回動アームにシートを吊設した状態を示す側面図。                       （ｃ）被介護者を持ち上げる様子を示す側面図。
【図８】被介護者を浴槽へ移動させる様子を示す説明図。（実施例１）           （ａ）被介護者を浴槽上方へ移動させる様子を示す側面図。                     （ｂ）被介護者を浴槽上方へ移動させた状態を示す側面図。                     （ｃ）被介護者を浴槽へ降ろした状態を示す側面図。
【図９】シートの回転アームに対する別の係止方法を示す説明図。（実施例１）    （ａ）回転アームにフック部材を設けたときの係止方法を示す斜視図。           （ｂ）回転アームを二分割構成としたときの係止方法を示す斜視図。
【図１０】走行リフトと組合せて用いる別の浴槽を示す説明図。（実施例１）     （ａ）浴槽を示す正面図。                                                   （ｂ）浴槽を示す側面図。
【図１１】歩行器として用いる状態を示す斜視図。（実施例１）
【図１２】手摺りユニットを示す斜視図。（実施例１）
【図１３】手摺りユニットを係止させる様子を示す説明図。（実施例１）         （ａ）手摺りユニットをリフトユニットへ係止させる様子を示す側面図。         （ｂ）手摺りユニットをリフトユニットへ係止させた様子を示す側面図。
【図１４】歩行器として用いる様子を示す説明図。（実施例１）                 （ａ）被介護者が立上る様子を示す説明図。                                   （ｂ）被介護者は立上った様子を示す説明図。
【図１５】ベースフレームを示す説明図。（実施例２）                         （ａ）ベースフレームを示す平面図。                                         （ｂ）後フレームの回動中心の構成を示す部分背面図。
【図１６】立上り介助機として用いる状態を示す斜視図。（実施例３）
【図１７】立上り介助機として用いる様子を示す説明図。（実施例３）           （ａ）被介護者を立上らせるための前準備をした状態を示す側面図。             （ｂ）被介護者が立上って行く様子を示す側面図。                             （ｃ）被介護者が立上った様子を示す側面図。
【図１８】特許文献１の走行リフトを示す説明図。
【符号の説明】
【００３５】
１      走行リフト
２      ベースフレーム
２ａ    前フレーム
２ｂ    後フレーム
２ｄ    キャスター
２ｉ    車輪
３      巻取り機構
４      リフトユニット
５      支柱ユニット
１６    回転アーム
１６ａ  隙間部
１６ｂ  大孔部
１８    シート
１８ａ  返し部
２６    手摺りユニット
２６ｃ  係止具
２６ｅ  ピン材
２７    ベースフレーム
２７ｂ  後フレーム
２７ｇ  キャスター
２７ｉ  弾性体
２８    走行リフト
２９    支柱ユニット
２９ａ  係止部材
３０    膝当て板
【図１】
2006314600.tif 000003
【図２】
2006314600.tif 000004
【図３】
2006314600.tif 000005
【図４】
2006314600.tif 000006
【図５】
2006314600.tif 000007
【図６】
2006314600.tif 000008
【図７】
2006314600.tif 000009
【図８】
2006314600.tif 000010
【図９】
2006314600.tif 000011
【図１０】
2006314600.tif 000012
【図１１】
2006314600.tif 000013
【図１２】
2006314600.tif 000014
【図１３】
2006314600.tif 000015
【図１４】
2006314600.tif 000016
【図１５】
2006314600.tif 000017
【図１６】
2006314600.tif 000018
【図１７】
2006314600.tif 000019
【図１８】
2006314600.tif 000020